(57)【要約】      （修正有）【課題】洗い終わった髪が再び濡れぬ様に、また濡れた髪の水分を吸収するために頭部を覆うバスキャップに関するもので、吊り下げを可能にするバスキャップを提供する。【解決手段】ナイロンなど防水性の素材や、タオルや綿など吸収性の素材からなるキャップ本体１に耳３を設け、その耳に面ファスナー４、ボタン、アメリカンホックなどの留め具を設ける。耳を寄せ、耳同士を結ぶまたは、留め具を合わせることにより輪を作り、引掛け可能にする。【選択図】図１
2009011792.tif 000002
【特許請求の範囲】
【請求項１】
端にゴムを入れたバスキャップにおいて、キャップ本体に連結用耳を設けたナイロンなど防水性の素材からなるバスキャップ
【請求項２】
耳に、吊り下げ用の輪を作るために、左右の耳を留めることが可能な位置に留め具を設けたことを特徴とする請求項１に記載のバスキャップ
【請求項３】
留め具に面ファスナーを使用したことを特徴とする請求項２に記載のバスキャップ
【請求項４】
留め具として耳の一方にボタンを使用し、他方に穴を開けるまたは、輪の状態にした紐を付け、ボタンホールを設けたことを特徴とする請求項２に記載のバスキャップ
【請求項５】
留め具にアメリカンホックなどホックを使用したことを特徴とする請求項２に記載のバスキャップ
【請求項６】
端にゴムを入れたバスキャップにおいて、キャップ本体に連結用耳を設けたタオルや綿など吸水性の素材からなるバスキャップ
【請求項７】
耳に、吊り下げ用の輪を作るために、左右の耳を留めることが可能な位置に留め具を設けたことを特徴とする請求項６に記載のバスキャップ
【請求項８】
留め具に、面ファスナーを使用したことを特徴とする請求項７に記載のバスキャップ
【請求項９】
留め具として耳の一方にボタンを使用し、他方に穴を開けるまたは、輪の状態にした紐を付け、ボタンホールを設けたことを特徴とする請求項７に記載のバスキャップ
【請求項１０】
留め具にアメリカンホックなどホックを使用したことを特徴とする請求項７に記載のバスキャップ
【発明の詳細な説明】
【技術分野】
【０００１】  本発明は、キャップ本体の左右に連結用耳を付け、耳同士を結ぶまたは、耳の先端に設けた面ファスナー、ボタン、ホックなどの留め具を合わせることにより吊り下げ可能にしたバスキャップに関するものである。
【背景技術】
【０００２】  従来、洗い終わった髪が再び濡れぬ様に、浴室ではナイロンなど防水性の素材のバスキャップを、また濡れた髪の水分を吸収するために、お風呂上りにはタオルや綿など吸水性のある素材の湯上りキャップで頭部を覆っている。
このとき、濡れた頭髪の水分を素早く吸水するためのタオル地で頭部をしっかり固定するように端に縫い平ゴムを入れたバスキャップや吸水性に優れたタオル生地を素材にして、裁断縫製加工したヘア用ドライキャップが知られている。（特許文献１、２参照）
【特許文献１】登録実用新案第３０７７３８３号公報
【特許文献２】登録実用新案第３１１６１４４号公報
【発明の開示】
【発明が解決しようとする課題】
【０００３】  従来のバスキャップは吊り下げ部分を設けていない為、使用前後、浴室や脱衣所という限られたスペース内での置き場に困るという問題があった。
本発明は以上の問題点を解決しようとするものである。
【課題を解決するための手段】
【０００４】  バスキャップ本体の左右に連結用の耳を付け、耳同士を結ぶまたは、先端に面ファスナー、ボタン、ホックなどの留め具を設ける。その左右の留め具を合わせ、輪を作ることにより、引掛け可能なキャップになる。
本発明は、以上の構成よりなる吊り下げ可能なバスキャップである。
【発明の作用】
【０００５】  本発明を使用することにより、浴室や脱衣所のドアノブ、手すり、タオル掛けなどの突起物にバスキャップが引掛け可能となり、保管場所を確保できる。
【発明を実施するための最良の形態】
【０００６】  以下、本発明の実施の形態を図１及び図２により説明する。
（イ）ナイロンなど防水性の素材やタオル、綿など吸水性の素材からなるキャップ本体（１）に連結用耳（３）を設ける。
（ロ）連結用耳（３）に、吊り下げ用の輪を作るために、左右の耳を合わせることが可能な位置に面ファスナー（４）、ボタン（５）、ホック（７）などの留め具を設ける。
本発明は以上の構成よりなる。
本発明を使用する場合は、耳（３）と耳（３）とを寄せ、耳同士を結ぶまたは、面ファスナー（４）など留め具を合わせ、輪を作る。浴室や脱衣所の突起物に輪を通し、キャップを引掛ける。または、手すりなどの棒を中心に一方の耳（３）を手前から棒の向こう側へ、他方の耳（３）を棒の向こうから手前へ渡し、耳同士を結ぶまたは、留め具を合わせ輪を作ると、手すりにキャップが引掛かる。
【発明の実施例】
以下添付図面に基いてこの発明の実施例を説明する。ただし、本実施例はこの発明の一例であり、この実施例に限定をするものではない。
【０００７】  図１は、第１例でありナイロン素材のキャップで、留め具に面ファスナー（４）を使用したものである。耳の先端に面ファスナー（４）を設ける。耳を寄せ、面ファスナー（４）を合わせることにより輪ができ、吊り下げ可能となる。
【０００８】  図３は第２例でありタオル素材のキャップで、留め具にボタン（５）を使用したものである。耳の一方の先端にボタン（５）を設け、他方の先端に穴を開ける、または輪の状態にした紐を付けボタンホール（６）を設ける。耳を寄せ、ボタン（５）をボタンホール（６）へかけることにより輪ができ、吊り下げ可能となる。
【０００９】  図５は第３例であり綿素材のキャップで、留め具にアメリカンホック（７）を使用したものである。耳の一方の先端にホックの凹部分、他方の先端に凸部分を設ける。耳を寄せ、アメリカンホック（７）の凹凸部分を合わせることにより輪ができ、吊り下げ可能となる。
【００１０】  図６は第４例であり面ファスナーを使用し、キャップを被った時に、キャップの頭部前面で面ファスナーを合わせ、耳部分をリボン風にしたものである。頭部前面で合わせた輪を利用し、吊り下げ可能になる。また、一度左右の面ファスナー同士を外し、手すりなどの棒を中心に一方の耳を手前から棒の向こう側へ、他方の耳を棒の向こうから手前へ渡し、面ファスナーを再び合わせ輪を作ると、手すりにキャップが引掛かる。
【発明の効果】
【００１１】  本発明に於ける請求項３のものでは、洗い終わった髪を浴室内で防水でき、使用前後はドアノブ等へ吊り下げ可能である。面ファスナーを使用することにより、簡単に耳を合わせることができまた、留め具の音をたてることなく洗濯機で洗浄することができる。
【００１２】  本発明に於ける請求項４のものでは、洗い終わった髪を浴室内で防水でき、使用前後はドアノブ等へ吊り下げ可能である。ボタンを使用し、例えばハートや星型などボタンの形状を変えることにより、留め具の見た目を楽しめる。
【００１３】  本発明に於ける請求項５のものでは、洗い終わった髪を浴室内で防水でき、使用前後はドアノブ等へ吊り下げ可能である。ホックを使用し、留め具同士を合わせる時に例えばパチンという音を楽しめ、また吊り下げた状態の時、留め具同士が外れにくい。
【００１４】  本発明に於ける請求項８のものでは、お風呂上りに濡れた髪の水分を吸収でき、使用前後はドアノブ等へ吊り下げ可能である。面ファスナーを使用することにより、簡単に耳を合わせることができまた、留め具の音をたてることなく洗濯機で洗浄することができる。
【００１５】  本発明に於ける請求項９のものでは、お風呂上りに濡れた髪の水分を吸収でき、使用前後はドアノブ等へ吊り下げ可能である。ボタンを使用し、例えばハートや星型などボタンの形状を変えることにより、留め具の見た目を楽しめる。
【００１６】  本発明に於ける請求項１０のものでは、お風呂上りに濡れた髪の水分を吸収でき、使用前後はドアノブ等へ吊り下げ可能である。ホックを使用し、留め具同士を合わせる時に例えばパチンという音を楽しめ、また吊り下げた状態の時、留め具同士が外れにくい。
【図面の簡単な説明】
【００１７】
【図１】本発明の第１例使用状態の正面図
【図２】本発明の第１例吊り下げ時の図
【図３】本発明の第２例を上から見た平面図
【図４】本発明の第２例吊り下げ時の図
【図５】本発明の第３例を上から見た平面図
【図６】本発明の第４例使用状態の正面図
【符号の説明】
【００１８】  １キャップ本体、２端のゴム、３連結用耳、４面ファスナー、５ボタン、６ボタンホール、７アメリカンホック、５０ドアノブ
【図１】
2009011792.tif 000003
【図２】
2009011792.tif 000004
【図３】
2009011792.tif 000005
【図４】
2009011792.tif 000006
【図５】
2009011792.tif 000007
【図６】
2009011792.tif 000008